(57)【要約】【課題】被記録媒体を搬送する搬送ベルトと、前記搬送ベルトを洗浄する洗浄部と、を備える記録装置において、多様な搬送モードで前記被記録媒体を搬送する。【解決手段】被記録媒体Ｍを搬送する搬送ベルト３と、搬送ベルト３を洗浄する洗浄部１１と、被記録媒体Ｍを搬送する搬送モードを、洗浄部１１により洗浄させつつ搬送ベルト３を搬送する洗浄搬送モードと、洗浄部１１により洗浄させることなく搬送ベルト３を搬送する非洗浄搬送モードと、から選択する選択部１４と、を備える。【選択図】図１
2015182230.tif 000002
【特許請求の範囲】
【請求項１】
被記録媒体を搬送する搬送ベルトと、
前記搬送ベルトを洗浄する洗浄部と、
前記被記録媒体を搬送する搬送モードを、前記洗浄部により洗浄させつつ前記搬送ベルトを搬送する洗浄搬送モードと、前記洗浄部により洗浄させることなく前記搬送ベルトを搬送する非洗浄搬送モードと、から選択する選択部と、
を備えることを特徴とする記録装置。
【請求項２】
請求項１に記載の記録装置において、
前記選択部が選択する搬送モードに応じて、前記搬送ベルトと前記洗浄部とを制御する制御部を備えることを特徴とする記録装置。
【請求項３】
請求項１又は２に記載の記録装置において、
前記選択部は、前記被記録媒体への記録動作の停止後に記録動作を伴うことなく前記被記録媒体を搬送する際の搬送モードとして、前記洗浄搬送モード及び前記非洗浄搬送モードのうちの前記停止した記録動作において選択されていた搬送モードを選択することを特徴とする記録装置。
【請求項４】
請求項１から３のいずれか１項に記載の記録装置において、
前記被記録媒体を前記搬送ベルトに送出する送出部を備え、
前記洗浄搬送モード及び前記非洗浄搬送モードの少なくとも一方は、前記送出部から前記搬送ベルトに送出される前記被記録媒体を弛ませた状態で前記被記録媒体を搬送する弛み搬送モードと、前記送出部から前記搬送ベルトに送出される前記被記録媒体に張力を付与した状態で前記被記録媒体を搬送する張力搬送モードと、組み合わせて実行可能であることを特徴とする記録装置。
【請求項５】
請求項４に記載の記録装置において、
前記選択部が選択する搬送モードに応じて、前記搬送ベルトと前記洗浄部と前記送出部とを制御する制御部を備えることを特徴とする記録装置。
【請求項６】
請求項１から５のいずれか１項に記載の記録装置において、
前記被記録媒体の搬送方向を調整する搬送調整部を備え、
前記洗浄搬送モード及び前記非洗浄搬送モードの少なくとも一方は、前記搬送調整部により搬送方向が調整される搬送調整モードと、前記搬送調整部により搬送方向が調整されない非搬送調整モードと、組み合わせて実行可能であることを特徴とする記録装置。
【請求項７】
請求項６に記載の記録装置において、
前記選択部が選択する搬送モードに応じて、前記搬送ベルトと前記洗浄部と前記搬送調整部とを制御する制御部を備えることを特徴とする記録装置。
【請求項８】
請求項１から７のいずれか１項に記載の記録装置において、
前記被記録媒体を巻き取る巻取部を備え、
前記選択部が選択する搬送モードに応じて、前記搬送ベルトと前記洗浄部と前記巻取部とを制御する制御部を備えることを特徴とする記録装置。
【請求項９】
被記録媒体を搬送する搬送ベルトと、前記搬送ベルトを洗浄する洗浄部と、を備える記録装置における前記被記録媒体の搬送方法であって、
前記被記録媒体を搬送する搬送モードを、前記洗浄部により洗浄させつつ前記搬送ベルトを搬送する洗浄搬送モードと、前記洗浄部により洗浄させることなく前記搬送ベルトを搬送する非洗浄搬送モードと、から選択することを特徴とする被記録媒体の搬送方法。
【発明の詳細な説明】
【技術分野】
【０００１】
本発明は、記録装置及び被記録媒体の搬送方法に関する。
【背景技術】
【０００２】
従来から、搬送ベルトにより被記録媒体を搬送する記録装置が使用されている。このうち、前記搬送ベルトを洗浄する洗浄部を備える記録装置が使用されている。  
例えば、特許文献１には、被記録媒体を粘着固定して搬送する無端ベルトと該無端ベルトの周面が高分子多孔質体からなる拭き取りローラーを具備する洗浄部とを備える記録装置が開示されている。
【先行技術文献】
【特許文献】
【０００３】
【特許文献１】特開平１１−１９２６９４号公報
【発明の概要】
【発明が解決しようとする課題】
【０００４】
近年、被記録媒体を搬送する搬送ベルトと、前記搬送ベルトを洗浄する洗浄部と、を備える記録装置において、様々な記録モードで記録が可能になっている。そして、このような様々な記録モードに対応して、記録時及び非記録時において、多様な搬送モードで前記被記録媒体を搬送することが可能な記録装置が求められている。  
なお、特許文献１には、多様な搬送モードで前記被記録媒体を搬送することに関する記載はない。
【０００５】
そこで、本発明の目的は、被記録媒体を搬送する搬送ベルトと、前記搬送ベルトを洗浄する洗浄部と、を備える記録装置において、多様な搬送モードで前記被記録媒体を搬送することである。
【課題を解決するための手段】
【０００６】
上記課題を解決するための本発明の第１の態様の記録装置は、被記録媒体を搬送する搬送ベルトと、前記搬送ベルトを洗浄する洗浄部と、前記被記録媒体を搬送する搬送モードを、前記洗浄部により洗浄させつつ前記搬送ベルトを搬送する洗浄搬送モードと、前記洗浄部により洗浄させることなく前記搬送ベルトを搬送する非洗浄搬送モードと、から選択する選択部と、を備えることを特徴とする。
【０００７】
本発明の第２の態様の記録装置は、前記第１の態様において、前記選択部が選択する搬送モードに応じて、前記搬送ベルトと前記洗浄部とを制御する制御部を備えることを特徴とする。
【０００８】
本発明の第３の態様の記録装置は、前記第１又は第２の態様において、前記選択部は、前記被記録媒体への記録動作の停止後に記録動作を伴うことなく前記被記録媒体を搬送する際の搬送モードとして、前記洗浄搬送モード及び前記非洗浄搬送モードのうちの前記停止した記録動作において選択されていた搬送モードを選択することを特徴とする。
【０００９】
本発明の第４の態様の記録装置は、前記第１から第３のいずれか１つの態様において、前記被記録媒体を前記搬送ベルトに送出する送出部を備え、前記洗浄搬送モード及び前記非洗浄搬送モードの少なくとも一方は、前記送出部から前記搬送ベルトに送出される前記被記録媒体を弛ませた状態で前記被記録媒体を搬送する弛み搬送モードと、前記送出部から前記搬送ベルトに送出される前記被記録媒体に張力を付与した状態で前記被記録媒体を搬送する張力搬送モードと、組み合わせて実行可能であることを特徴とする。
【００１０】
本発明の第５の態様の記録装置は、前記第４の態様において、前記選択部が選択する搬送モードに応じて、前記搬送ベルトと前記洗浄部と前記送出部とを制御する制御部を備えることを特徴とする。
【００１１】
本発明の第６の態様の記録装置は、前記第１から第５のいずれか１つの態様において、前記被記録媒体の搬送方向を調整する搬送調整部を備え、前記洗浄搬送モード及び前記非洗浄搬送モードの少なくとも一方は、前記搬送調整部により搬送方向が調整される搬送調整モードと、前記搬送調整部により搬送方向が調整されない非搬送調整モードと、組み合わせて実行可能であることを特徴とする。
【００１２】
本発明の第７の態様の記録装置は、前記第６の態様において、前記選択部が選択する搬送モードに応じて、前記搬送ベルトと前記洗浄部と前記搬送調整部とを制御する制御部を備えることを特徴とする。
【００１３】
本発明の第８の態様の記録装置は、前記第１から第７のいずれか１つの態様において、前記被記録媒体を巻き取る巻取部を備え、前記選択部が選択する搬送モードに応じて、前記搬送ベルトと前記洗浄部と前記巻取部とを制御する制御部を備えることを特徴とする。
【００１４】
本発明の第９の態様の被記録媒体の搬送方法は、被記録媒体を搬送する搬送ベルトと、前記搬送ベルトを洗浄する洗浄部と、を備える記録装置における前記被記録媒体の搬送方法であって、前記被記録媒体を搬送する搬送モードを、前記洗浄部により洗浄させつつ前記搬送ベルトを搬送する洗浄搬送モードと、前記洗浄部により洗浄させることなく前記搬送ベルトを搬送する非洗浄搬送モードと、から選択することを特徴とする。
【発明の効果】
【００１５】
本発明によれば、被記録媒体を搬送する搬送ベルトと、前記搬送ベルトを洗浄する洗浄部と、を備える記録装置において、多様な搬送モードで前記被記録媒体を搬送することができる。
【図面の簡単な説明】
【００１６】
【図１】本発明の一実施例に係る記録装置を表す概略側面図。
【図２】本発明の一実施例に係る記録装置を表すブロック図。
【図３】本発明の一実施例に係る記録装置における状態遷移図。
【図４】本発明の被記録媒体の搬送方法の一実施例を表すフローチャート。
【発明を実施するための形態】
【００１７】
以下に、本発明の一実施形態に係る記録装置について、添付図面を参照して詳細に説明する。  
［記録装置の実施例］（図１〜図３）  
図１は、本発明の一実施例に係る記録装置１を表す概略側面図である。
【００１８】
本実施例の記録装置１は、ロール状の被記録媒体Ｍを回転させて送出する送出部２を備えている。本実施例の送出部２は、被記録媒体Ｍを張った状態で搬送ベルト３に送出するテンション送り経路Ｔと、被記録媒体Ｍを弛ませた状態で搬送ベルト３に送出する弛み送り経路Ｓと、の２種類の送出経路で被記録媒体Ｍを搬送ベルト３に送出することが可能である。  
本実施例の記録装置１には、被記録媒体Ｍを弛ませた状態で搬送ベルト３に送出する際に被記録媒体Ｍが所定の弛み量以上弛んでいるか否かを検出する、弛みセンサー１５が設けられている。なお、弛みセンサー１５は、所定の位置に被記録媒体Ｍがあるか否かを検出可能な光学センサーであるが、本実施例の光学センサー以外の構成のセンサーを用いてもよい。
【００１９】
また、本実施例の記録装置１には、被記録媒体Ｍが蛇行して搬送されているか否かを検出する蛇行センサー２５を有しており、蛇行センサー２５の検出結果に応じて、搬送調整部２６は、送出部２の位置（図１中の方向Ｂにおける位置）を調整して被記録媒体Ｍの蛇行を抑制することが可能である。なお、蛇行センサー２５は、所定の位置に被記録媒体Ｍがあるか否かを検出可能な光学センサーであるが、本実施例の光学センサー以外の構成のセンサーを用いてもよい。
【００２０】
本実施例の搬送ベルト３は、被記録媒体Ｍを支持する支持面７に粘着剤が塗られ、駆動ローラー４及び従動ローラー５に張力がかけられた状態で架け渡された無端ベルトである。  
また、従動ローラー５と対向する位置には加圧ローラー６が設けられており、送出部２から送出された被記録媒体Ｍは、加圧ローラー６で搬送ベルト３に押し当てられて搬送ベルト３に貼り付けられる。  
そして、搬送ベルト３に貼り付けられた被記録媒体Ｍは、駆動ローラー４の駆動力によって搬送ベルト３が回転移動することにより、搬送方向Ａに搬送される。
【００２１】
搬送ベルト３による被記録媒体Ｍの搬送経路において、搬送ベルト３の支持面７と対向する位置には、記録部８が設けられている。記録部８は、被記録媒体Ｍにインクを吐出する記録ヘッド９と、記録ヘッド９を搭載して搬送方向Ａと交差する方向Ｂに往復移動するキャリッジ１０と、を備えている。  
このように、本実施例の記録部８は、記録ヘッド９を方向Ｂに往復移動させて記録を行う。記録動作中において、記録ヘッド９が方向Ｂに移動させている際は、搬送ベルト３は停止し、方向Ｂのうちの一方向への記録ヘッド９の移動が終了すると、搬送ベルト３は所定量移動してから停止する。そして、搬送ベルト３の該所定量移動の後であって搬送ベルト３の停止中に、記録ヘッド９は、方向Ｂのうちの前記一方向とは逆方向への移動を行う。すなわち、本実施例の搬送ベルト３は、記録ヘッド９の往復移動に対応して、間欠移動する。
【００２２】
なお、本実施例の記録装置１は、往復移動しながら記録する記録ヘッド９を備えているが、インクを吐出するノズルを搬送方向Ａと交差する方向Ｂに複数設けた所謂ラインヘッドを備える記録装置でもよい。  
ここで、「ラインヘッド」とは、被記録媒体Ｍの搬送方向Ａと交差する方向Ｂに形成されたノズルの領域が、被記録媒体Ｍの方向Ｂ全体をカバー可能なように設けられ、記録ヘッド又は被記録媒体Ｍの一方を固定し他方を移動させて画像を形成する記録装置に用いられる記録ヘッドである。なお、ラインヘッドの方向Ｂのノズルの領域は、記録装置が対応している全ての被記録媒体Ｍの方向Ｂ全体をカバー可能でなくてもよい。
【００２３】
なお、本実施例の記録装置１は、被記録媒体Ｍの幅方向（方向Ｂ）の端部にまで記録することが可能な構成であるが、その際に記録ヘッド９から吐出されたインクが搬送ベルト３に付着する場合がある。そこで、本実施例の記録装置１には、インクが付着した搬送ベルト３を洗浄することが可能な洗浄部１１が設けられている。
【００２４】
洗浄部１１は、螺旋ブラシ２１と、洗浄液を螺旋ブラシ２１に付着させることが可能な洗浄液槽２２とを有している。そして、洗浄部１１は、洗浄部昇降モーター２８（図２参照）を有しており、搬送ベルト３と接触する方向及び搬送ベルト３と離間する方向に移動可能である。
【００２５】
記録ヘッド９により記録がなされた被記録媒体Ｍは、巻取部１２によって巻かれるが、本実施例の記録装置１は、巻取部１２に巻かれた記録済みの被記録媒体Ｍにおいてインクの裏移りを抑制するため、ロール紙Ｐを挟んで被記録媒体Ｍを巻き取ることが可能な構成になっている。ロール紙Ｐを挟んで被記録媒体Ｍを巻き取ることは、ロール紙送出部１３にロール紙Ｐをセットし、搬送ベルト３から巻取部１２に向かう被記録媒体Ｍの被記録面とは反対側の面にロール紙Ｐを沿わせ、被記録媒体Ｍとロール紙Ｐとを巻取部１２においてまとめて巻き取ることにより行うことができる。
【００２６】
また、本実施例の記録装置１には、記録装置１の全体の制御を司るＣＰＵ、ＣＰＵが実行する各種制御プログラム等を格納したＲＯＭ、データを一時的に格納可能なＲＡＭ、等を有し、記録装置１の駆動系の各構成部材の駆動制御を行う制御部１４が設けられている。
【００２７】
次に、本実施例の記録装置１における電気的な構成について説明する。  
図２は、本実施例の記録装置１のブロック図である。
【００２８】
本実施例の記録装置１は、制御部１４を有している。制御部１４は、螺旋ブラシ２１を回転駆動させる駆動源である螺旋ブラシモーター１６、洗浄部１１を搬送ベルト３と接触する方向及び搬送ベルト３と離間する方向に移動させる際の駆動源である洗浄部昇降モーター２８、洗浄部１１の位置を検出する洗浄部位置センサー１７、と接続されている。さらに、搬送ベルト３を回転駆動させる駆動ローラー４の駆動源であるベルトモーター２０、送出部２の駆動源である送出モーター２３、巻取部１２の駆動源である巻取モーター２４、蛇行センサー２５、搬送調整部２６の駆動源である搬送調整モーター２７等の、記録装置１の駆動系の各構成部材と接続されている。
【００２９】
また、制御部１４は、外部装置であるＰＣ１８と、不図示のインターフェースを介して接続可能であり、ＰＣ１８のＧＵＩ（グラフィックユーザーインターフェース）１９を介してユーザーからの指示の受付けが可能に構成されている。
【００３０】
このような構成により、本実施例の制御部１４は、ＧＵＩ１９から入力されるユーザーの指示に基づいて、螺旋ブラシモーター１６、洗浄部昇降モーター２８、洗浄部位置センサー１７、ベルトモーター２０、送出モーター２３、巻取モーター２４、蛇行センサー２５、搬送調整モーター２７等の記録装置１の駆動系の各構成部材の駆動を制御することができる。
【００３１】
また、本実施例の記録装置１は、制御部１４のＲＯＭに被記録媒体Ｍを搬送する複数の搬送モードに対応するプログラムが格納されている。そして、これらのプログラムに対応して、様々な搬送モードで被記録媒体Ｍを搬送することが可能である。
【００３２】
具体的には、洗浄部１１により洗浄させつつ搬送ベルト３を搬送する洗浄搬送モードと、洗浄部１１により洗浄させることなく搬送ベルト３を搬送する非洗浄搬送モードと、を有している。  
また、洗浄搬送モード及び非洗浄搬送モードの夫々と組み合わせて実行可能な、被記録媒体Ｍを張った状態で搬送する張力搬送モードと、被記録媒体Ｍを弛ませた状態で搬送する弛み搬送モードと、を有している。  
また、洗浄搬送モード及び非洗浄搬送モードの夫々、さらには、張力搬送モード及び弛み搬送モードの夫々と組み合わせて実行可能な、搬送調整部２６により搬送方向が調整される搬送調整モードと、搬送調整部２６により搬送方向が調整されない非搬送調整モードと、を有している。
【００３３】
上記のように、本実施例の記録装置１は、被記録媒体Ｍを搬送する搬送ベルト３と、搬送ベルト３を洗浄する洗浄部１１と、を備えている。  
そして、制御部１４は、被記録媒体Ｍを搬送する搬送モードを、洗浄部１１により洗浄させつつ搬送ベルト３を搬送する洗浄搬送モードと、洗浄部１１により洗浄させることなく搬送ベルト３を搬送する非洗浄搬送モードと、から選択する選択部としての役割を有している。  
このような構成により、本実施例の記録装置１は、例えば、縁なし記録を行う場合は搬送ベルト３が汚れるため洗浄搬送モードを選択し、搬送ベルト３を汚すことのない記録モードで記録を行う場合は非洗浄搬送モードを選択することができる。したがって、多様な搬送モードで被記録媒体Ｍを搬送することができる構成になっている。
【００３４】
また、本実施例の制御部１４は、被記録媒体Ｍへの記録動作の停止後に記録動作を伴うことなく被記録媒体Ｍを搬送する際の搬送モードとして、洗浄搬送モード及び非洗浄搬送モードのうちの前記停止した記録動作において選択されていた搬送モードを選択する。  
被記録媒体Ｍへの記録動作の停止後に記録動作を伴うことなく被記録媒体Ｍを搬送する際、前記停止した記録動作において選択されていた搬送モードと異なる搬送モードで被記録媒体Ｍが搬送されると、不具合が生じる場合がある。例えば、洗浄搬送モードで記録動作を行った後に、非洗浄搬送モードで記録動作を伴うことなく被記録媒体Ｍを搬送すると、搬送ベルト３に未洗浄部分が残った状態で被記録媒体Ｍが搬送されることが生じ得る。搬送ベルト３に未洗浄部分が残った状態で被記録媒体Ｍが搬送されると、被記録媒体Ｍが汚れる虞がある。  
しかしながら、本実施例の制御部１４は、被記録媒体Ｍへの記録動作の停止後に記録動作を伴うことなく被記録媒体Ｍを搬送する際の搬送モードとして、洗浄搬送モード及び非洗浄搬送モードのうちの前記停止した記録動作において選択されていた搬送モードを選択する。このため、前記停止した記録動作において選択されていた搬送モードと異なる搬送モードで被記録媒体Ｍが搬送されることにより不具合が生じることを抑制している。  
なお、「記録動作の停止」には、ＧＵＩ１９等から指示して記録動作を一時停止させた場合のほか、エラーにより記録動作が一時停止した場合や、ＰＣ１８から入力された一連の記録データの記録が終了し、待機状態となっている場合を含む。
【００３５】
また、上記のように、本実施例の記録装置１は、被記録媒体Ｍを搬送ベルト３に送出する送出部２を備えている。  
そして、洗浄搬送モード及び非洗浄搬送モードの夫々と組み合わせて実行可能な、送出部２から搬送ベルト３に送出される被記録媒体Ｍを弛ませた状態で被記録媒体Ｍを搬送する弛み搬送モードと、送出部２から搬送ベルト３に送出される被記録媒体Ｍに張力を付与した状態で被記録媒体Ｍを搬送する張力搬送モードと、を有している。  
このため、多様な搬送モードで被記録媒体Ｍを搬送することができる。  
なお、本実施例の記録装置１では、洗浄搬送モード及び非洗浄搬送モードの夫々が弛み搬送モード及び張力搬送モードと組み合わせて実行可能であるが、洗浄搬送モード及び非洗浄搬送モードの少なくとも一方が弛み搬送モードと張力搬送モードと組み合わせて実行可能な構成であってもよい。
【００３６】
また、上記のように、本実施例の記録装置１は、被記録媒体Ｍの搬送方向を調整する搬送調整部２６を備えている。  
そして、洗浄搬送モード及び非洗浄搬送モードの夫々、さらには、張力搬送モード及び弛み搬送モードの夫々と組み合わせて実行可能な、搬送調整部２６により搬送方向が調整される搬送調整モードと、搬送調整部２６により搬送方向が調整されない非搬送調整モードと、を有している。  
このため、多様な搬送モードで前記被記録媒体を搬送することができる。  
なお、本実施例の記録装置１では、洗浄搬送モード及び非洗浄搬送モードの夫々、さらには、張力搬送モード及び弛み搬送モードの夫々が、弛み搬送モード及び張力搬送モードと組み合わせて実行可能であるが、洗浄搬送モード及び非洗浄搬送モードの少なくとも一方、又は、張力搬送モード及び弛み搬送モードの少なくとも一方が搬送調整モード及び非搬送調整モードと組み合わせて実行可能な構成であってもよい。
【００３７】
また、上記のように、本実施例の記録装置１は、被記録媒体Ｍを巻き取る巻取部１２を備えている。  
そして、制御部１４は、選択する搬送モードに応じて、搬送ベルト３と洗浄部１１と送出部２と搬送調整部２６と巻取部１２とを連動して制御することが可能である。  
このため、例えば、洗浄搬送モードを選択した場合において、ユーザーが個別に搬送ベルト３と洗浄部１１と送出部２と搬送調整部２６と巻取部１２とを操作する手間を省略することができる。  
ここで、「連動して制御」とは、ユーザーに各構成部材の個別の操作を強いることなく、自動的に選択された搬送モードを実行させるように制御することを意味する。  
なお、ここでの「操作」とは、例えば、各構成部材の位置の変更や、各構成部材の汚れのふき取り等を意味する。
【００３８】
なお、本実施例の記録装置１では、制御部１４が選択する搬送モードに応じて、搬送ベルト３と洗浄部１１と送出部２と搬送調整部２６と巻取部１２とを連動して制御することが可能であるが、これらのうちの全てではなく、これらのうちの２つ以上の構成材料を連動して制御することが可能な構成としてもよい。
【００３９】
なお、各搬送モードで被記録媒体Ｍの搬送方法を変えてもよい。例えば、洗浄搬送モードでは間欠搬送とし、非洗浄搬送モードでは連続搬送としてもよい。  
また、送出部２の被記録媒体Ｍの送出速度や巻取部１２の被記録媒体Ｍの巻取速度を考慮し、各搬送モードで被記録媒体Ｍの搬送速度を設定することが好ましい。
【００４０】
次に、本実施例の記録装置１における状態遷移について説明する。  
図３は、本実施例の記録装置１における状態遷移図である。  
図３において、ポイントＣは条件分岐ポイントを表しており、ポイントＤは遷移状態のスタートポイントを表している。
【００４１】
ＰＣ１８のＧＵＩ１９のメインウィンドウには、記録装置１の状態に対応して、待機中、記録中、一時停止中及び一時停止系エラーのいずれかが表示される。  
このうち、待機中、一時停止中又は一時停止系エラーのいずれかが表示されている状態のときに、ＧＵＩ１９のメインウィンドウにおいて表示される媒体送りボタンを押すと、媒体送りウィンドウがアクティブになる。
【００４２】
媒体送りウィンドウがアクティブになると、該ウィンドウの初期画面として、被記録媒体Ｍの搬送開始に対応する開始ボタン、被記録媒体Ｍの搬送停止に対応する停止ボタン、被記録媒体Ｍの搬送終了に対応する終了ボタンのうちの、開始ボタンと終了ボタンが有効、停止ボタンが無効として表示される。  
なお、この初期画面が表示されている際は、記録装置１の構成部材（メカ）のうちの搬送ベルト３と洗浄部１１の螺旋ブラシ２１は停止しており、被記録媒体Ｍの搬送方向Ａとは逆方向の搬送（バックフィード）はされていない状態になっている。
【００４３】
媒体送りウィンドウにおいて開始ボタンを押すと、被記録媒体Ｍの搬送（例えばメカの制御状態としては記録中の状態）が開始されるとともに、開始ボタンが無効、停止ボタンと終了ボタンが有効とする表示に変わる。  
この状態において、停止ボタンを押すと、メカの制御状態は一時停止状態になる。  
また、この状態において、記録装置１に備えられたフロントカバーが開けられてしまった場合等、一時停止系エラーが発生すると、メカの制御状態は一時停止系エラー状態（一時停止状態）になる。ただし、記録動作を伴わずに被記録媒体Ｍを搬送する場合は一時停止系エラーとしない制御にしてもよい。キャリッジ１０の移動が無いため、ユーザーがキャリッジ１０に接触しないためである。
【００４４】
また、媒体送りウィンドウにおいて終了ボタンを押すと、被記録媒体Ｍの搬送を終了中であることを表す媒体送りウィンドウ終了中のウィンドウが開く。なお、この際の媒体送りウィンドウのクローズボタンは無効になっている。  
ここで、終了ボタンを押す前の記録装置１の状態（前回の装置状態）が、一時停止中だった場合又は非洗浄搬送モードで被記録媒体Ｍが搬送されていた場合（媒体送りシーケンスが洗浄なしの場合）は、メカのうちの搬送ベルト３と洗浄部１１の螺旋ブラシ２１は停止する。なお、バックフィードはされない。  
一方、終了ボタンを押す前の記録装置１の状態が、待機中だった場合又は洗浄搬送モードで被記録媒体Ｍが搬送されていた場合（媒体送りシーケンスが洗浄ありの場合）は、メカのうちの搬送ベルト３と洗浄部１１の螺旋ブラシ２１は停止し、洗浄部１１を搬送ベルト３から離間させ、バックフィードさせる。なお、ここでバックフィードさせるのは、搬送ベルト３と洗浄部１１との接触部分がこれらを一度離間させることでずれてしまい搬送ベルト３に洗浄不良部分が発生することを、抑制するためである。バックフィードさせることで該接触部分のずれに伴う洗浄不良部分の発生を抑制可能になる。
【００４５】
そして、メカの制御状態が前回の装置状態に移行すると、前回の装置状態に対応する、待機中、一時停止中又は一時停止系エラーの表示がメインウィンドウにされる。
【００４６】
［被記録媒体の搬送方法の実施例］（図４）  
次に、上記実施例の記録装置１を用いた被記録媒体Ｍの搬送方法の実施例について説明する。  
図４は、本実施例の被記録媒体Ｍの搬送方法のフローチャートである。
【００４７】
本実施例の被記録媒体Ｍの搬送方法が開始されると、最初に、ステップＳ１１０において、制御部１４は、前回の記録動作時における搬送モード情報を取得する。  
詳細には、制御部１４は、前回の記録動作時における搬送モードが、洗浄搬送モード及び非洗浄搬送モードの何れであったか、また、弛み搬送モード及び張力搬送モードの何れであったか、また、搬送調整モード及び非搬送調整モードの何れであったかについての情報を取得する。
【００４８】
そして、ステップＳ１２０において、記録装置１は、前回の記録動作時における搬送モードと同じ搬送モードで、被記録媒体Ｍの搬送を開始する。  
すなわち、ステップＳ１１０で取得した搬送モード情報に対応して、制御部１４は搬送ベルト３と洗浄部１１と送出部２と搬送調整部２６と巻取部１２とを連動して制御し、記録装置１は制御部１４の制御により被記録媒体Ｍの搬送を開始する。
【００４９】
そして、ステップＳ１３０において、被記録媒体Ｍの搬送終了と判断されるまで、被記録媒体Ｍを搬送し、本実施例の被記録媒体Ｍの搬送方法を終了する。
【００５０】
上記から、本実施例の被記録媒体Ｍの搬送方法は、被記録媒体Ｍを搬送する搬送ベルト３と、搬送ベルト３を洗浄する洗浄部１１と、を備える記録装置１における被記録媒体Ｍの搬送方法であって、被記録媒体Ｍを搬送する搬送モードを、洗浄部１１により洗浄させつつ搬送ベルト３を搬送する洗浄搬送モードと、洗浄部１１により洗浄させることなく搬送ベルト３を搬送する非洗浄搬送モードと、から選択すると言える。  
このため、例えば、縁なし記録を行う場合は搬送ベルト３が汚れるため前記洗浄搬送モードを選択し、搬送ベルト３を汚すことのない記録モードで記録を行う場合は前記非洗浄搬送モードを選択することができる。したがって、多様な搬送モードで被記録媒体Ｍを搬送することができる。
【００５１】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００５２】
本発明の第１の態様の記録装置１は、被記録媒体Ｍを搬送する搬送ベルト３と、搬送ベルト３を洗浄する洗浄部１１と、被記録媒体Ｍを搬送する搬送モードを、洗浄部１１により洗浄させつつ搬送ベルト３を搬送する洗浄搬送モードと、洗浄部１１により洗浄させることなく搬送ベルト３を搬送する非洗浄搬送モードと、から選択する選択部（制御部）１４と、を備えることを特徴とする。
【００５３】
本態様によれば、被記録媒体Ｍを搬送する搬送モードを、洗浄搬送モードと非洗浄搬送モードとから選択する選択部１４を備える。このため、例えば、縁なし記録を行う場合は搬送ベルト３が汚れるため洗浄搬送モードを選択し、搬送ベルト３を汚すことのない記録モードで記録を行う場合は非洗浄搬送モードを選択することができる。したがって、多様な搬送モードで被記録媒体Ｍを搬送することができる。
【００５４】
本発明の第２の態様の記録装置１は、前記第１の態様において、選択部１４が選択する搬送モードに応じて、搬送ベルト３と洗浄部１１とを制御する制御部１４を備えることを特徴とする。
【００５５】
本態様によれば、制御部１４は、選択部１４が選択する搬送モードに応じて、搬送ベルト３と洗浄部１１とを制御する。このため、例えば、選択部１４が洗浄搬送モードを選択した場合において、ユーザーが個別に搬送ベルト３と洗浄部１１とを操作する手間を省略することができる。  
なお、ここでの「操作」とは、例えば、各構成部材の位置の変更や、各構成部材の汚れのふき取り等を意味する。  
また、制御部１４と選択部１４とが別々の設けられる構成のほか、本実施例の記録装置１のように制御部１４が選択部１４を兼ねる構成であってもよい。
【００５６】
本発明の第３の態様の記録装置１は、前記第１又は第２の態様において、選択部１４は、被記録媒体Ｍへの記録動作の停止後に記録動作を伴うことなく被記録媒体Ｍを搬送する際の搬送モードとして、洗浄搬送モード及び非洗浄搬送モードのうちの前記停止した記録動作において選択されていた搬送モードを選択することを特徴とする。
【００５７】
被記録媒体Ｍへの記録動作の停止後に記録動作を伴うことなく被記録媒体Ｍを搬送する際、前記停止した記録動作において選択されていた搬送モードと異なる搬送モードで被記録媒体Ｍが搬送されると、不具合が生じる場合がある。例えば、洗浄搬送モードで記録動作を行った後に、非洗浄搬送モードで記録動作を伴うことなく被記録媒体Ｍを搬送すると、搬送ベルト３に未洗浄部分が残った状態で被記録媒体Ｍが搬送されることが生じ得る。搬送ベルト３に未洗浄部分が残った状態で被記録媒体Ｍが搬送されると、被記録媒体Ｍが汚れる虞がある。  
本態様によれば、選択部１４は、被記録媒体Ｍへの記録動作の停止後に記録動作を伴うことなく被記録媒体Ｍを搬送する際の搬送モードとして、洗浄搬送モード及び非洗浄搬送モードのうちの前記停止した記録動作において選択されていた搬送モードを選択する。このため、前記停止した記録動作において選択されていた搬送モードと異なる搬送モードで被記録媒体Ｍが搬送されることにより不具合が生じることを抑制できる。  
なお、「記録動作の停止」とは、ユーザーの指示入力により記録動作を一時停止させた場合のほか、エラーにより記録動作が一時停止した場合や、記録装置に入力された一連の記録データの記録が終了し、待機状態となっている場合を含む意味である。
【００５８】
本発明の第４の態様の記録装置１は、前記第１から第３のいずれか１つの態様において、被記録媒体Ｍを搬送ベルト３に送出する送出部２を備え、洗浄搬送モード及び非洗浄搬送モードの少なくとも一方は、送出部２から搬送ベルト３に送出される被記録媒体Ｍを弛ませた状態で被記録媒体Ｍを搬送する弛み搬送モードと、送出部２から搬送ベルト３に送出される被記録媒体Ｍに張力を付与した状態で被記録媒体Ｍを搬送する張力搬送モードと、組み合わせて実行可能であることを特徴とする。
【００５９】
本態様によれば、洗浄搬送モード及び非洗浄搬送モードの少なくとも一方は、弛み搬送モードと張力搬送モードと組み合わせて実行可能である。このため、多様な搬送モードで被記録媒体Ｍを搬送することができる。
【００６０】
本発明の第５の態様の記録装置１は、前記第４の態様において、選択部１４が選択する搬送モードに応じて、搬送ベルト３と洗浄部１１と送出部２とを制御する制御部１４を備えることを特徴とする。
【００６１】
本態様によれば、制御部１４は、選択部１４が選択する搬送モードに応じて、搬送ベルト３と洗浄部１１と送出部２とを制御する。このため、例えば、選択部１４が洗浄搬送モードを選択した場合において、ユーザーが個別に搬送ベルト３と洗浄部１１と送出部２とを操作する手間を省略することができる。
【００６２】
本発明の第６の態様の記録装置１は、前記第１から第５のいずれか１つの態様において、被記録媒体Ｍの搬送方向を調整する搬送調整部２６を備え、洗浄搬送モード及び非洗浄搬送モードの少なくとも一方は、搬送調整部２６により搬送方向が調整される搬送調整モードと、搬送調整部２６により搬送方向が調整されない非搬送調整モードと、組み合わせて実行可能であることを特徴とする。
【００６３】
本態様によれば、洗浄搬送モード及び非洗浄搬送モードの少なくとも一方は、搬送調整モードと非搬送調整モードと組み合わせて実行可能である。このため、多様な搬送モードで被記録媒体Ｍを搬送することができる。
【００６４】
本発明の第７の態様の記録装置１は、前記第６の態様において、選択部１４が選択する搬送モードに応じて、搬送ベルト３と洗浄部１１と搬送調整部２６とを制御する制御部１４を備えることを特徴とする。
【００６５】
本態様によれば、制御部１４は、選択部１４が選択する搬送モードに応じて、搬送ベルト３と洗浄部１１と搬送調整部２６とを制御する。このため、例えば、本実施例のような制御可能な送出部２をさらに備える記録装置１では、選択部１４が洗浄搬送モードを選択した場合において、ユーザーが個別に搬送ベルト３と洗浄部１１と送出部２と搬送調整部２６とを操作する手間を省略することができる。
【００６６】
本発明の第８の態様の記録装置１は、前記第１から第７のいずれか１つの態様において、被記録媒体Ｍを巻き取る巻取部１２を備え、選択部１４が選択する搬送モードに応じて、搬送ベルト３と洗浄部１１と巻取部１２とを制御する制御部１４を備えることを特徴とする。
【００６７】
本態様によれば、制御部１４は、選択部１４が選択する搬送モードに応じて、搬送ベルト３と洗浄部１１と巻取部１２とを制御する。このため、例えば、本実施例のような制御可能な送出部２と搬送調整部２６とをさらに備える記録装置１では、選択部１４が洗浄搬送モードを選択した場合において、ユーザーが個別に搬送ベルト３と洗浄部１１と送出部２と搬送調整部２６と巻取部１２とを操作する手間を省略することができる。
【００６８】
本発明の第９の態様の被記録媒体Ｍの搬送方法は、被記録媒体Ｍを搬送する搬送ベルト３と、搬送ベルト３を洗浄する洗浄部１１と、を備える記録装置１における被記録媒体Ｍの搬送方法であって、被記録媒体Ｍを搬送する搬送モードを、洗浄部１１により洗浄させつつ搬送ベルト３を搬送する洗浄搬送モードと、洗浄部１１により洗浄させることなく搬送ベルト３を搬送する非洗浄搬送モードと、から選択することを特徴とする。
【００６９】
本態様によれば、被記録媒体Ｍを搬送する搬送モードを、洗浄搬送モードと非洗浄搬送モードとから選択する。このため、例えば、縁なし記録を行う場合は搬送ベルト３が汚れるため洗浄搬送モードを選択し、搬送ベルト３を汚すことのない記録モードで記録を行う場合は非洗浄搬送モードを選択することができる。したがって、多様な搬送モードで被記録媒体Ｍを搬送することができる。
【符号の説明】
【００７０】
１  記録装置、２  送出部、３  搬送ベルト、４  駆動ローラー、５  従動ローラー、
６  加圧ローラー、７  支持面、８  記録部、９  記録ヘッド、１０  キャリッジ、
１１  洗浄部、１２  巻取部、１３  ロール紙送出部、１４  制御部（選択部）、
１５  弛みセンサー、１６  螺旋ブラシモーター、１７  洗浄部位置センサー、
１８  ＰＣ、１９  ＧＵＩ、２０  ベルトモーター、２１  螺旋ブラシ、
２２  洗浄液槽、２３  送出モーター、２４  巻取モーター、２５  蛇行センサー、
２６  搬送調整部、２７  、搬送調整モーター
２８  洗浄部昇降モーター、Ｍ  被記録媒体、Ｐ  ロール紙、Ｓ  弛み送り経路、
Ｔ  テンション送り経路
【図１】
2015182230.tif 000003
【図２】
2015182230.tif 000004
【図３】
2015182230.tif 000005
【図４】
2015182230.tif 000006